(57)【要約】      （修正有）【課題】レンズ装置内から乾燥剤を取り出さなくとも乾燥剤全体の吸湿能力または適切な交換時期を判断することのできる乾燥剤の交換に有利なレンズ装置を提供することを目的とする。【解決手段】鏡筒３と、鏡筒に保持されたレンズ４と、鏡筒内において乾燥剤５を保持する保持部６と、乾燥剤の重量の計測を行う計測部７とを備え、乾燥剤の重量に基づいて交換時期を処理して表示部８に表示する。計測部は鏡筒の内部に配置され温度および湿度を計測する第１計測部と、鏡筒の外部に配置され温度および湿度を計測する第２計測部を含み、第１計測部および前記第２計測部による計測結果に基づいて交換時期を得る処理部を有する。また表示部は、乾燥剤の重量にしたがって伸縮する弾性部材と、弾性部材の伸縮にしたがって可動の視標を含む。表示部は、レンズ装置１の外装部２や遠隔操作部に配置されることを特徴とする。【選択図】図１
2020095090.tif 000002
【特許請求の範囲】
【請求項１】
鏡筒と、
前記鏡筒に保持されたレンズと、
前記鏡筒内において乾燥剤を保持する保持部と、
前記乾燥剤の交換時期を表示する表示部と、
を有することを特徴とするレンズ装置。
【請求項２】
前記乾燥剤の計測を行う計測部を有することを特徴とする請求項１に記載のレンズ装置。
【請求項３】
前記表示部は、前記乾燥剤の重量に基づいて前記交換時期を表示することを特徴とする請求項１または請求項２に記載のレンズ装置。
【請求項４】
前記計測部は、前記乾燥剤の重量を計測し、
前記計測部による計測結果に基づいて前記交換時期を得る処理部を有する、
ことを特徴とする請求項２に記載のレンズ装置。
【請求項５】
前記計測部は、
前記鏡筒の内部に配置され、温度および湿度を計測する第１計測部と、
前記鏡筒の外部に配置され、温度および湿度を計測する第２計測部と、
を含み、
前記第１計測部および前記第２計測部による計測結果に基づいて前記交換時期を得る処理部を有する、
ことを特徴とする請求項２に記載のレンズ装置。
【請求項６】
前記表示部は、
前記乾燥剤の重量にしたがって伸縮する弾性部材と、
前記弾性部材の伸縮にしたがって可動の視標と、
を含むことを特徴とする請求項３に記載のレンズ装置。
【請求項７】
前記表示部は、前記レンズ装置の外装部に配置されていることを特徴とする請求項１ないし請求項６のうちいずれか１項に記載のレンズ装置。
【請求項８】
前記表示部は、前記レンズを操作するための遠隔操作部に配置されていることを特徴とする請求項１ないし請求項５のうちいずれか１項に記載のレンズ装置。
【請求項９】
請求項１ないし請求項８のうちいずれか１項に記載のレンズ装置と、
前記レンズ装置の像面に配された撮像素子と、
を有することを特徴とする撮像装置。
【発明の詳細な説明】
【技術分野】
【０００１】
本発明は、レンズ装置および撮像装置に関する。
【背景技術】
【０００２】
撮影の多様化により、レンズ装置は冷房の効いた室内環境から高温多湿の室外環境への移動、または暖房の効いた室内環境からスキー場などの低温の室外環境への移動など、温度や湿度が急激に変化する状況下での使用も頻繁に行われている。
【０００３】
このような状況下で使用すると、外気温とレンズ装置内の気温との間に温度差を生じる。さらに、この温度差によりレンズ装置内外に圧力差が生じ、レンズ装置内部が外部に対して負圧になると、レンズ装置の隙間から高温多湿の外気がレンズ装置の内部に流入しうる。レンズ装置を構成するガラスは、比較的熱伝導率が低く温度変化が起きにくいため、レンズ装置内部に流入した高温多湿の外気を冷やし水蒸気に凝結を起こさせて曇りうる。
【０００４】
そのような結露によるガラス（レンズ）の曇りは、レンズ装置内の湿度を下げることにより軽減しうる。特許文献１は、レンズ装置内に乾燥剤を充填し、レンズ装置内の水蒸気量を削減することを技術開示している。特許文献２は、帯状の乾燥剤をレンズ鏡筒の内壁面に沿って配置し、レンズ鏡筒の外周の一部を透明部材によって形成することにより、乾燥剤の交換時期を視認可能にすることを開示している。
【先行技術文献】
【特許文献】
【０００５】
【特許文献１】特許３２４８２９５号公報
【特許文献２】特許３８２４１９１号公報
【発明の概要】
【発明が解決しようとする課題】
【０００６】
しかしながら、特許文献１のレンズ装置は、レンズ装置内から乾燥剤を取り出さなければ、適切な交換時期を判断できない。また、特許文献２のレンズ鏡筒は、帯状の乾燥剤の一部のみを視認可能にしているため、乾燥剤全体の吸湿能力または適切な交換時期を判断できない。本発明は、例えば、乾燥剤の交換に有利なレンズ装置を提供することを目的とする。
【課題を解決するための手段】
【０００７】
上記目的を達成するために、本発明のレンズ装置は、鏡筒と、前記鏡筒に保持されたレンズと、前記鏡筒内において乾燥剤を保持する保持部と、前記乾燥剤の交換時期を表示する表示部と、を有することを特徴とする。
【発明の効果】
【０００８】
本発明によれば、例えば、乾燥剤の交換に有利なレンズ装置を提供することができる。
【図面の簡単な説明】
【０００９】
【図１】第１の実施例におけるレンズ装置の全体を示す概略図
【図２】第１の実施例のレンズ装置の要部詳細図
【図３】第１の実施例におけるレンズ装置の動作を表す図
【図４】図３の作動時における要部詳細図
【図５】第２の実施例におけるレンズ装置の全体を示す概略図
【図６】第２の実施例のレンズ操作部１１の表示を表す図
【図７】第３の実施例におけるレンズ装置の全体を示す概略図
【図８】第３の実施例における動作のフローチャート
【発明を実施するための形態】
【００１０】
以下に、本発明のレンズ装置の好ましい実施の形態を、添付の図１〜図８を参照しながら詳細に説明する。
【実施例１】
【００１１】
以下、図１〜図４を参照して、本発明の第１の実施例による、レンズ装置１について説明する。
【００１２】
（構成）
図１に基づいて第１の実施例に係るレンズ装置の全体構成について説明する。
図１は本発明の第１の実施例のレンズ装置１の全体を示す概略図である。本実施形態のレンズ装置１は、外装部２、鏡筒３、ガラス部（レンズ）４、乾燥剤５、乾燥剤収納部（保持部）６、吸湿能力判断手段（判断部）としての重量測定部（計測部）７によって構成される。外装部２は、光軸０と平行な方向に沿うようにして装着されている。ここで、光軸０とは、本発明のレンズ装置１の光軸を指している。また、外装部２は、鏡筒３全体を光軸０周りに囲むように覆われている。ガラス部４は、鏡筒３内部に保持される。乾燥剤収納部６は、鏡筒３内部との間に通気用の開口部を設けて付設される。乾燥剤５及び重量測定部７は、乾燥剤収納部６内部に設置される。外装部２及び乾燥剤収納部６には吸湿能力表示部として表示窓８が設けられている。
【００１３】
図２に基づいて、重量測定部７の詳細な構成について説明する。
図２は本実施例の要部詳細図である。重量測定部７は乾燥剤５を設置（載置）する載置台７Ａと弾性部材７Ｂとスケール（視標）７Ｃによって構成される。弾性部材７Ｂは載置台７Ａを重力方向に抗して保持するよう、鏡筒３と載置台７Ａとの間に取り付けられ、載置台７Ａに載置された乾燥剤５の重量に応じて伸縮する。本実施例では乾燥剤５の重量に応じて圧縮されるように弾性部材７Ｂを配置したが、乾燥剤５の重量に応じて伸張するように弾性部材７Ｂを配置してもよい。スケール７Ｃは載置台７Ａに固定されるので、弾性部材７Ｂの伸縮にしたがって可動である。表示窓８からはスケール７Ｃの目盛の一部をレンズ装置１の外部から視認することができる。
【００１４】
（動作及び効果）
図３〜図４に基づいて、重量測定部７の動作及び表示窓８の表示について説明する。本実施例では初期状態の乾燥剤５の質量をＭ０、吸湿した水蒸気の重量をΔＭ（０＜ΔＭ＜Ｍ１−Ｍ０）、交換時期の乾燥剤５の重量をＭ１とする。また、弾性部材７Ｂのバネ定数をｋとする。
【００１５】
図３は本実施例におけるレンズ装置１の動作を表す図である。（ａ）は乾燥剤５の交換直後、（ｂ）は乾燥剤５の吸湿中、（ｃ）は乾燥剤５の交換時期における重量測定部７の動作及び表示窓８の表示を表す。図４は、図３のそれぞれの状態における弾性部材７Ｂと、スケール７Ｃと、表示窓８との位置の関係を模式的に表した図である。
【００１６】
乾燥剤５の交換直後（新品の乾燥剤５のとき）は、重量測定部７は図４（ａ）の状態となる。乾燥剤５の重量はＭ０であるため、弾性部材７ＢはＭ０／ｋだけ縮小し、載置台７Ａ及びスケール７Ｃは重力方向に変位する。このとき、表示窓８には乾燥剤５の吸湿能力が１００％であることが表示される。
【００１７】
乾燥剤５の交換後から交換時期までは、重量測定部７は例えば図４（ｂ）のような状態となる。乾燥剤５がレンズ装置１内の水蒸気を吸収することにより乾燥剤５の重量は増加する。吸湿後の乾燥剤５の重量は吸収した水分の重量をΔＭとして、Ｍ０＋ΔＭ、と表すことができる。載置台７Ａ及びスケール７Ｃは重力方向に（Ｍ０＋ΔＭ）／ｋだけ変位する。スケール７Ｃには目盛が設けられ乾燥剤５の重量の増加に応じて変位する。表示窓８に表示される目盛によって乾燥剤５の吸湿能力の寿命を判断することができる。
【００１８】
乾燥剤５の交換時期となった場合は図４（ｃ）の状態となる。乾燥剤５の重量はＭ１となり、載置台７Ａ及びスケール７ＣがＭ１／ｋだけ変位し、外装部２には乾燥剤５の吸湿能力が０％であることが表示され、計測結果に基づいて交換時期を判断することができる。
【００１９】
本発明は乾燥剤５の適切な交換時期の判断手段として乾燥剤５が吸湿した水蒸気の重量を用いているため、周囲の温湿度環境によらず計測結果に基づいて適切な交換時期を判断することができる。
【００２０】
乾燥剤５の種類に応じて初期の重量や交換時期の重量が異なる場合、バネ定数の異なる弾性部材７Ｂに変更したり、あるいはスケール７Ｃの長さを変更することによって、乾燥剤５の交換時期の重量の値を変更することができる。
【００２１】
このように本発明のレンズ装置は、乾燥剤全体の重量を判断手段にすることで乾燥剤の吸湿能力及び適切な交換時期を判断することができる。
重量測定部（計測部）７による計測結果に基づいて乾燥剤の交換時期を得る処理部を有することにより、乾燥剤の交換に有利なレンズ装置を提供することができる。
【実施例２】
【００２２】
以下、図５を参照して、本発明の第２の実施例による、レンズ装置について説明する。尚、本実施例では実施例１と比較して乾燥剤の吸湿能力判断手段及び吸湿能力表示部をさらに有する。
【００２３】
（構成）
図５に基づいてレンズ装置１の構成について説明する。
図５は本発明の第２の実施例によるレンズ装置１の全体を示す概略図である。本実施例は第１の実施例と比較して乾燥剤の吸湿能力判断手段（判断部）及び吸湿能力表示部のみ異なる構成となっている。本実施例における吸湿能力判断手段は、重量センサ９及び姿勢差センサ１０によって構成される。不図示の姿勢差センサはレンズ装置１に構成され、レンズ装置１の姿勢差を検出することができる。重量センサ９は乾燥剤収納部６内部に設置され、レンズ装置１が所定の姿勢で配置されているとき（例えば、光軸方向が水平の場合）の、鉛直方向に働く力（重力）を測定する。水平方向に対するレンズ装置１の姿勢差をθ（０≦θ≦４５°）とし、重量センサ９による測定値をＭとすると、姿勢差がθついた場合の乾燥剤５の重量は、Ｍ／ｃｏｓθと表すことができる。
【００２４】
レンズ操作部１１はレンズ装置１に接続されて設けられている。レンズ操作部１１は、ディスプレイ１１Ａが設けられ、重量センサ９及び姿勢差センサ１０によって算出された乾燥剤５の重量をレンズ装置１にフィードバックすることでディスプレイ１１Ａに乾燥剤５の吸湿能力を表示する。
【００２５】
（動作）
図６は本実施例のレンズ操作部（遠隔操作部）１１の表示を表す図である。図６（ａ）では、乾燥剤５の交換直後におけるディスプレイ１１Ａの図である。図６（ｂ）は乾燥剤５の交換直後から交換時期までにおけるディスプレイ１１Ａの図である。図６（ｃ）は乾燥剤５の交換時期におけるディスプレイ１１Ａの図である。
【００２６】
図６（ａ）では吸湿能力が１００％であることが表示される。図６（ｂ）では吸湿中の乾燥剤５の吸湿能力が表示される。図６（ｃ）では吸湿能力がなくなったことと交換が必要なことが表示される。
【００２７】
以上により重量センサ９の信号をレンズ装置１にフィードバックすることによって、ディスプレイ１１Ａに乾燥剤５の吸湿能力が表示され適切な交換時期を判断することができる。
【実施例３】
【００２８】
以下、図７を参照して、本発明の第３の実施例による、レンズ装置について説明する。尚、本実施例では実施例１と比較して乾燥剤の吸湿能力判断手段及び吸湿能力表示部について言及している。
【００２９】
（構成）
図７に基づいて、レンズ装置１の構成について説明する。
図７は本発明の第３の実施例によるレンズ装置１の全体を示す概略図である。本実施例は第１の実施例と比較して乾燥剤の吸湿能力判断手段（判断部）及び吸湿能力表示部のみ異なる構成となっている。本実施例における吸湿能力判断手段は温湿度センサ１２Ａ及び温湿度センサ１２Ｂによって構成される。温湿度センサ（第１計測部）１２Ａは乾燥剤収納部６内に設置され、乾燥剤収納部６内の温度と湿度を測定している。温湿度センサ（第２計測部）１２Ｂはレンズ装置１の外部（鏡筒の外部）に設置され、レンズ装置１周辺の温度と湿度を測定（計測）している。吸湿能力表示部としての表示部１３は外装部２に構成される。温湿度センサ１２Ａ及び温湿度センサ１２Ｂで測定された結果（計測結果）に基づき交換時期を判断し表示部１３を点灯させることにより、乾燥剤５を直接確認することなくユーザは乾燥剤５の交換時期を判断することができる。
【００３０】
（動作）
以下、本実施例における動作及び効果について図８のフローチャートを参照して述べる。
ステップ１０１では温湿度センサ１２Ａによって乾燥剤収納部６内の温度と湿度が検出され、温湿度センサ１２Ｂによってレンズ装置１周辺の温度と湿度が検出され、ステップ１０２に進む。ステップ１０２では乾燥剤収納部６内の空気が乾燥しているか相対湿度の値によって判定する。相対湿度が所定の値以下で乾燥している場合、処理を終了する。相対湿度が所定の値以上であった場合、ステップ１０３に進む。
【００３１】
ステップ１０３では、温湿度センサ１２Ａによって測定した温度と湿度から乾燥剤収納部６内部の絶対湿度と、温湿度センサ１２Ｂによって測定した温度と湿度からレンズ装置１周辺の絶対湿度を算出し、ステップ１０４に進む。ステップ１０４では、乾燥剤収納部６内部の絶対湿度とレンズ装置１周辺の絶対湿度の差が所定の閾値より小さいか判定する。所定の閾値より小さくない場合は処理を終了する。所定の閾値より小さい場合は乾燥剤５の吸湿能力はなくなったと判断して、ステップ１０５に進む。ステップ１０５では乾燥剤５の交換時期をユーザに示すため表示部１３を点灯させる。以上の処理及び判定は、一定時間ごとに繰返し実行される。
【００３２】
以上により、乾燥剤の適切な交換時期を判断することができる。
また、実施例に記載のレンズ装置と、レンズ装置の像面に配された撮像素子とを有する撮像装置を構成することによって、本発明の効果を奏する撮像装置を実現することができる。
【００３３】
以上、本発明の好ましい実施形態について説明したが、本発明はこれらの実施形態に限定されず、その要旨の範囲内で種々の変形及び変更が可能である。
【符号の説明】
【００３４】
１  ・・・・  レンズ装置
３  ・・・・  鏡筒
４  ・・・・  ガラス部
６  ・・・・  乾燥剤収納部
８  ・・・・  表示窓（表示部）
【図１】
2020095090.tif 000003
【図２】
2020095090.tif 000004
【図３】
2020095090.tif 000005
【図４】
2020095090.tif 000006
【図５】
2020095090.tif 000007
【図６】
2020095090.tif 000008
【図７】
2020095090.tif 000009
【図８】
2020095090.tif 000010